【事件の表示】
　平成５年特許願第２５６０３９号「部品供給装置」拒絶査定に対する審判事件［平成７年４月２５日出願公開、特開平７−１１１３９４］について、次のとおり審決する。
【結　論】
　本件審判の請求は、成り立たない。
【理　由】
１．手続の経緯・本願発明
　本願は、平成５年１０月１３日の出願であって、本願の請求項１係る発明（以下、「本願発明」という。）は、平成１２年１２月２５日付けの手続補正書によって補正された明細書の特許請求の範囲の請求項１に記載された次のとおりのものと認める。
　「【請求項１】　夫々が同一の部品装着パターンを有する複数の単位基板により構成された所定のプリント基板に装着する電子部品を供給する部品供給ユニット群を夫々が独立に同一または夫々異なる駆動装置により同一経路上を往復移動可能になされた複数の移動テーブルに分けて搭載して所望の部品供給ユニットより電子部品が部品取出ノズルの部品取出位置に供給可能となるよう前記各テーブルを移動させて電子部品を供給する部品供給装置において、同一の移動テーブルに搭載された部品供給ユニット群の供給する電子部品を当該テーブルを部品供給のために移動させて１枚のプリント基板を構成する全ての単位基板にて装着が終了した後に他の移動テーブルが１枚のプリント基板を構成する全ての単位基板に対して部品供給移動をするように前記駆動装置を制御する制御手段を設けたことを特徴とする部品供給装置。」
　
２．引用刊行物記載の発明
　これに対して、原査定の拒絶の理由に引用された、いずれも本願の出願前に日本国内において頒布された特開昭６２−１４０４９９号公報（以下、「引用刊行物１」という。）及び特開平４−３４５０９６号公報（以下、「引用刊行物２」という。）には、それぞれ、次の事項が記載されている。
　
２−１．引用刊行物１（特開昭６２−１４０４９９号公報）の記載事項
　引用刊行物１には、「二つの部品供給テーブルを備えた電子部品実装装置」に関して、図面第１図、第２図、第７図、第９図と共に、次の事項が記載されている。
　ア）「部品供給装置２０は、第１図に示すように、第一供給テーブル９０および第二供給テーブル９２を備えている。……テーブル９０，９２には、第７図に示すような部品供給ユニット９８が複数、……その部品供給部が一直線上に並ぶ姿勢で固定されている。……各テーブル９０，９２はこのような通常のプリント基板に対する電子部品の装着を行う際に必要な種類あるいは数の部品供給ユニット９８を搭載し得る大きさに形成されている。」（第４頁左下欄第１３行〜右下欄第１１行）
　イ）「上記のように構成された部品供給ユニット９８を支持する第一および第二の供給テーブル９０，９２は、プリント基板搬送方向に平行に配設されたガイドレール１５０に移動可能に支持されている。テーブル９０，９２は複数の部品供給ユニット９８の部品供給部がその上に位置する直線に沿って移動するようにガイドレール１５０に案内されており、第１図に示すようにその下面に固定されたナット１５１にはそれぞれ送りねじ１５２，１５４が螺合されている。送りねじ１５２，１５４は、それぞれガイドレール１５０に軸方向に移動不能かつ回転可能に取り付けられるとともに、専用の駆動モータ１５６，１５８によって回転させられ、テーブル９０，９２をそれぞれ独立に移動させ得るようになっている。ガイドレール１５０の長手方向の中央部に隣接した位置には、第１図中丸印で示すように前記吸着管８６に電子部品を供給する供給位置１６０が設定されており、電子部品装着時には、テーブル９０，９２の移動により各部品供給ユニット９８の部品供給部が順次供給位置１６０に位置決めされる。この供給位置１６０を基準として、部品供給時にテーブル９０，９２が移動する最大範囲、すなわちテーブル９０，９２に搭載された部品供給ユニット９８のうち両端に位置するものがそれぞれ供給位置１６０に位置決めされる間に移動する範囲が両テーブル９０，９２に共通の作業領域であり、部品供給時にはテーブル９０，９２は交替で作業領域において移動させられて電子部品を供給し、一方のテーブルが作業領域にある間、他方のテーブルはガイドレール１５０の作業領域を成す部分に隣接する部分上に退避させられて作業中のテーブルと干渉しないようにされる。テーブル９０，９２は作業領域を挟んで反対側の位置にそれぞれ退避させられるのであり、この位置がテーブル９０，９２にそれぞれ専用の退避領域であって、ガイドレール１５０はテーブル９０，９２が作業領域と退避領域との間を移動するのに十分な長さとされている。」（第５頁左下欄第１０行〜第６頁左上欄第７行）
　ウ）「以上のように構成された電子部品実装装置は、第９図に示す制御装置によって制御される。図において１７０はＣＰＵ（中央処理装置）であり、このＣＰＵ１７０には、作動開始スイッチ，部品装着モード切換スイッチ，部品供給ユニット９８の交換終了や電子部品を装着すべきプリント基板の種類等を入力するための入力装置等、種々の操作部を備えた操作装置１７２が接続されている。ＣＰＵ１７０にはまた、ＲＯＭ（リードオンリメモリ）１７４とＲＡＭ（ランダムアクセスメモリ）１７６とが接続されている。ＲＯＭ１７４には、本実装装置によって実行可能な三つの部品装着モードのプログラムを始め、プリント基板に装着する電子部品の種類，装着位置，装着順序，プリント基板の移動順序，電子部品の装着順序に従って部品装着装置１８に電子部品を供給するようにテーブル９０，９２を移動させるためのプログラム等が記憶されている。
　ＣＰＵ１７０には更に、第一供給テーブル移動用モータ駆動回路１７８，第二供給テーブル移動用モータ駆動回路１８０，……が接続されており、それらにそれぞれモータ１５６，モータ１５８，……が接続されるとともに、……が接続されている。」（第６頁左上欄第８行〜右上欄第１９行）
　エ）「本実装装置によって実行可能なもう一つのモードは、プリント基板に装着すべき電子部品の種類あるいは数が多く、第一供給テーブル９０および第二供給テーブル９２のいずれか一方のみでは必要な部品供給ユニツト９８をすべて搭載することができず、両テーブル９０，９２に分けて搭載した場合における装着モードである。この場合には、両テーブル９０，９２は一つのテーブルと見なされ、プリント基板への装着順に電子部品を供給するように交互に作業領域に移動させられるのであり、部品供給ユニットを装着順に分けてテーブル９０，９２に搭載しておくようにすれば、１枚のプリント基板への電子部品の装着に際してテーブル９０，９２の交替が１回で済む。」（第８頁左上欄第１〜１４行）
　
　上記記載事項イの「ナット１５１」、「送りねじ１５２，１５４」、「駆動モータ１５６，１５８」は、第一および第二の供給テーブル９０，９２をそれぞれ独立に同一経路であるガイドレール１５０上を往復移動可能に駆動するための装置であるので、これら「ナット１５１」、「送りねじ１５２，１５４」、「駆動モータ１５６，１５８」を、以下、まとめて「駆動装置」という。
　また、上記記載事項エの記載から、引用刊行物１には、「同一の供給テーブルに搭載された部品供給ユニット９８群の供給する電子部品を当該テーブルを部品供給のために移動させて１枚のプリント基板にて装着が終了した後に他の供給テーブルが１枚のプリント基板に対して部品供給移動をする」ことが記載されていると認められる。
　そうすると、上記記載事項ア〜エ及び図面第１図、第２図、第７図、第９図の記載を総合すると、引用刊行物１には、
「所定のプリント基板に装着する電子部品を供給する部品供給ユニット９８群を夫々が独立に夫々異なる駆動装置により同一経路上を往復移動可能になされた複数の供給テーブル９０，９２に分けて搭載して所望の部品供給ユニット９８より電子部品が吸着管８６の供給位置１６０に供給可能となるよう前記各テーブル９０，９２を移動させて電子部品を供給する部品供給装置２０において、同一の供給テーブルに搭載された部品供給ユニット９８群の供給する電子部品を当該テーブルを部品供給のために移動させて１枚のプリント基板にて装着が終了した後に他の供給テーブルが１枚のプリント基板に対して部品供給移動をするように前記駆動装置を制御する制御装置を設けた部品供給装置２０」
の発明（以下、「引用刊行物１記載の発明」という。）が記載されていると認められる。
　
２−２．引用刊行物２（特開平４−３４５０９６号公報）の記載事項
　引用刊行物２には、「多面取りプリント基板の部品実装方法」に関して、図１と共に、次の事項が記載されている。
　オ）「【０００１】
【産業上の利用分野】本発明は、部品装着機のＸＹテーブル上に置かれたプリント基板（多面取りＰ板という）上へ部品を装着する多面取りプリント基板の部品実装方法に関する。
【０００２】
【従来の技術】近年、多面取りＰ板は複数の同一パターンを有する形態が多くなってきており、そのような多面取りＰ板に対してもできるだけロスがなく効率的に部品を実装することが求められてきている。」（第２頁第１欄第２２〜３１行）
　カ）「０００８】
【課題を解決するための手段】本発明は、上記目的を達成するために、部品が配列状に並び直線移動する部品供給部から部品を順次取り出し、摺動するＸＹテーブル上に置かれた多面取りＰ板に装着する部品実装方法において、前記部品供給部は、高速装着可能な部品、低速で装着可能な部品と、同レベル装着可能速度ごとに区分けされた状態に部品が配列され、実装順は多面取りＰ板全体に対して高速装着部品より先に順次装着し、低速装着部品は最後に装着する多面取りプリント基板の部品実装方法である。」（第２頁第２欄第２２〜３２行）
　キ）「【００１１】図において、１は４面取りの多面取りＰ板１ａの置かれたＸＹテーブル、２は部品供給部の配列を示すもので、部品供給部の配列２はＺ１より低速装着部品から順に並べ、Ｚの数値が大きくなるにつれて高速装着部品が配列され、高速装着部品，低速装着部品は区分けされている。３は実装時の部品供給部の初期の動きを示し、４は実装時の高速装着部品の部品供給部の動き、５は実装時の低速装着部品の部品供給部の動き、６は部品供給部の復帰の動きを示している。
【００１２】そして、７はＸＹテーブルの初期移動を示し、８は高速装着部品実装時のＸＹテーブル１の動き、９は低速装着部品実装時のＸＹテーブルの動き、１０はＸＹテーブル１の原点復帰を示している。
【００１３】そして、実装順は、最初、部品供給部２，ＸＹテーブル１ともに初期移動３，７を行う。
【００１４】次に、高速装着部品を実装するときは、高速装着部品の部品供給部の動き４のように高速装着部品グループの端から端へ各パターンごと片道方向に交互に動く。また、ＸＹテーブル１は、高速装着部品実装時のＸＹテーブルの動き８に示すように、パターン（１）〜（４）まで交互の実装順で実装する。
【００１５】次に、低速装着部品を実装するときは、低速装着部品の部品供給部の動き５のように動き、ＸＹテーブル１の動きは低速装着部品実装時のＸＹテーブルの動き９のようになる。
【００１６】最後に、部品供給部，ＸＹテーブル１ともに、原点復帰６，１０を実行し、多面取りＰ板１枚分の実装が終了する。」（第３頁第３欄第３〜３０行）
　
　多面取りプリント基板は同一の部品装着パターンを複数有するもので、各部品装着パターンが形成される部分は単位基板といえるので、上記記載事項オ〜キ及び図１の記載を総合すると、引用刊行物２には、
「夫々が同一の部品装着パターンを有する複数の単位基板により構成された多面取りプリント基板に部品を装着する際に、部品供給部に高速装着部品群と低速装着部品群とを区分けして配列し、部品供給部を部品供給のために移動させて多面取りプリント基板を構成する全ての単位基板にて高速装着部品の装着が終了した後に部品供給部が多面取りプリント基板を構成する全ての単位基板に対して低速装着部品を供給するように移動すること」
が記載されていると認められる。
　
３．対比
　本願発明と引用刊行物１記載の発明とを対比すると、引用刊行物１記載の発明の「供給テーブル９０，９２」、「吸着管８６」、「供給位置１６０」は、それぞれ、本願発明の「移動テーブル」、「部品取出ノズル」、「部品取出位置」に相当するので、本願発明と引用刊行物１記載の発明とは、
「所定のプリント基板に装着する電子部品を供給する部品供給ユニット群を夫々が独立に夫々異なる駆動装置により同一経路上を往復移動可能になされた複数の移動テーブルに分けて搭載して所望の部品供給ユニットより電子部品が部品取出ノズルの部品取出位置に供給可能となるよう前記各テーブルを移動させて電子部品を供給する部品供給装置において、同一の移動テーブルに搭載された部品供給ユニット群の供給する電子部品を当該テーブルを部品供給のために移動させて１枚のプリント基板にて装着が終了した後に他の移動テーブルが１枚のプリント基板に対して部品供給移動をするように前記駆動装置を制御する制御手段を設けた部品供給装置」
である点で一致し、次の点で相違している。
　
《相違点》
　本願発明では、所定のプリント基板が、「夫々が同一の部品装着パターンを有する複数の単位基板により構成された」もの（いわゆる「多面取りプリント基板」）であって、移動テーブルの移動が、『同一の移動テーブルに搭載された部品供給ユニット群の供給する電子部品を当該テーブルを部品供給のために移動させて１枚のプリント基板「を構成する全ての単位基板」にて装着が終了した後に他の移動テーブルが１枚のプリント基板「を構成する全ての単位基板」に対して部品供給移動をするように』なされているのに対して、引用刊行物１記載の発明では、所定のプリント基板が「多面取りプリント基板」であるとの言及はなく、また、供給テーブルの移動についても、「単位基板」に関する事項の言及がない点。
　
４．当審の判断
　そこで、上記相違点について以下で検討する。
　多面取りプリント基板は、同一の部品装着パターンを複数有するように電子部品を装着することによって得られるものであるので、引用刊行物１記載のプリント基板も、本願発明と同様の「夫々が同一の部品装着パターンを有する複数の単位基板により構成された」プリント基板（いわゆる「多面取りプリント基板」）となり得ることは明らかである。
　そして、引用刊行物１記載のプリント基板が多面取りプリント基板となるように電子部品を供給するに際して、引用刊行物２に記載のものを適用して、引用刊行物１記載の複数の供給テーブル９０，９２の一方に「高速装着部品群」を他方に「低速装着部品群」を分けて搭載して、一方の同一の供給テーブルに搭載された高速装着部品群の供給する電子部品を当該テーブルを部品供給のために移動させて１枚のプリント基板を構成する全ての単位基板にて装着が終了した後に他方の供給テーブルが１枚のプリント基板を構成する全ての単位基板に対して低速装着部品供給移動をするようにすることは、当業者であれば容易に想到できた事項である。
　
　また、本願発明が奏する作用効果も、引用刊行物１及び２に記載のものから予測される程度以上のものでもない。
　
５．むすび
　したがって、本願発明は、引用刊行物１及び２に記載された発明に基いて、当業者が容易に発明をすることができたものであるので、特許法第２９条第２項の規定により特許を受けることができない。
　よって、結論のとおり審決する。